(57)【要約】  本発明は、位置変更報知方法、デバイス、およびシステムを提供し、少なくとも、マルチＰＲＡシナリオにおいて、ＰＲＡ集合のＩＤがＰＲＡにおけるＵＥの位置変更イベントをサブスクライブするために用いられるとき、モビリティ管理エンティティにより報知されたＰＲＡにおけるＵＥの位置変更イベントがＰＲＡの識別情報のみを保持するので、セッション管理機能エンティティは、ＰＲＡにおけるＵＥの位置変更イベントを如何にサブスクリプションエンティティに報知するかを決定できないという従来の問題を解決する。当該方法は、セッション管理機能エンティティが、モビリティ管理エンティティにより送信された、ＰＲＡにおけるＵＥの位置変更情報と、ＰＲＡの識別情報と、ＰＲＡの識別情報に対応するＰＲＡが属するＰＲＡ集合の識別情報とを受信する段階と、セッション管理機能エンティティが、ＰＲＡ集合の識別情報と、記憶されたＰＲＡサブスクリプション情報とに基づき、ＰＲＡ集合の任意のＰＲＡにおけるＵＥの位置変更イベントをサブスクライブするサブスクリプションエンティティを確定する段階と、セッション管理機能エンティティが、ＰＲＡの識別情報とＰＲＡにおけるＵＥの位置変更情報とを、サブスクリプションエンティティへ送信する段階とを備える。本発明は、通信技術分野に適用可能である。
2019533342.tif 000002
【特許請求の範囲】
【請求項１】
位置変更報知方法であって、前記方法は、
セッション管理機能エンティティが、モビリティ管理エンティティにより送信された、プレゼンス報知エリアＰＲＡにおけるユーザ機器ＵＥの位置変更情報と、前記ＰＲＡの識別情報と、前記ＰＲＡの前記識別情報に対応する前記ＰＲＡが属するＰＲＡ集合の識別情報とを受信する段階であって、前記ＰＲＡにおける前記ＵＥの前記位置変更情報は、前記ＵＥによる前記ＰＲＡに対する進入または退出についての情報を含む、段階と、
前記セッション管理機能エンティティが、前記ＰＲＡ集合の前記識別情報と、記憶されたＰＲＡサブスクリプション情報とに基づき、前記ＰＲＡ集合の任意のＰＲＡにおける前記ＵＥの位置変更イベントをサブスクライブするサブスクリプションエンティティを確定する段階であって、前記ＰＲＡサブスクリプション情報は、前記ＰＲＡ集合の前記識別情報と、前記ＰＲＡ集合の任意のＰＲＡにおける前記ＵＥの前記位置変更イベントをサブスクライブする前記サブスクリプションエンティティの識別情報とを含む、段階と、
前記セッション管理機能エンティティが、前記ＰＲＡの前記識別情報と、前記ＰＲＡにおける前記ＵＥの前記位置変更情報とを、前記サブスクリプションエンティティへ送信する段階と
を備える、
位置変更報知方法。
【請求項２】
前記方法は、
前記セッション管理機能エンティティが、前記サブスクリプションエンティティにより送信されたＰＲＡサブスクリプション要求を受信する段階であって、前記ＰＲＡサブスクリプション要求は、前記ＰＲＡ集合の前記識別情報を保持し、前記ＰＲＡ集合の前記識別情報に対応する前記ＰＲＡ集合の任意のＰＲＡにおける前記ＵＥの位置変更イベントをサブスクライブするよう要求するために用いられる、段階と、
前記セッション管理機能エンティティが、前記ＰＲＡサブスクリプション要求に基づき、前記ＰＲＡサブスクリプション情報を確定して前記ＰＲＡサブスクリプション情報を記憶する段階と、
前記セッション管理機能エンティティが、ＰＲＡ位置変更通知要求を、前記モビリティ管理エンティティへ送信する段階であって、前記ＰＲＡ位置変更通知要求は、前記ＰＲＡ集合の前記識別情報を保持し、前記モビリティ管理エンティティに、前記ＵＥが前記ＰＲＡ集合の前記識別情報に対応する前記ＰＲＡ集合の任意のＰＲＡに対して進入するまたは退出するとき、ＰＲＡ位置変更報知を実行するよう命令するために用いられる、段階と
をさらに備える、請求項１に記載の方法。
【請求項３】
前記サブスクリプションエンティティは、ポリシーおよび課金ルール機能ＰＣＲＦエンティティ、オンライン課金システムＯＣＳエンティティ、またはポリシー機能エンティティを含む、請求項１または２に記載の方法。
【請求項４】
前記モビリティ管理エンティティは、モビリティ管理エンティティＭＭＥ、サービング汎用パケット無線サービスＧＰＲＳサポートノードＳＧＳＮ、またはモビリティ管理機能ＭＭＦエンティティを含む、請求項１から３のいずれか一項に記載の方法。
【請求項５】
前記セッション管理機能エンティティは、パケットデータネットワークゲートウェイＰＧＷ、またはセッション管理機能ＳＭＦエンティティを含む、請求項１から４のいずれか一項に記載の方法。
【請求項６】
セッション管理機能エンティティであって、前記セッション管理機能エンティティは、受信モジュールと、確定モジュールと、送信モジュールとを備え、
前記受信モジュールは、モビリティ管理エンティティにより送信された、プレゼンス報知エリアＰＲＡにおけるユーザ機器ＵＥの位置変更情報と、前記ＰＲＡの識別情報と、前記ＰＲＡの前記識別情報に対応する前記ＰＲＡが属するＰＲＡ集合の識別情報とを受信するよう構成され、前記ＰＲＡにおける前記ＵＥの前記位置変更情報は、前記ＵＥによる前記ＰＲＡに対する進入または退出についての情報を含み、
前記確定モジュールは、前記ＰＲＡ集合の前記識別情報と、記憶されたＰＲＡサブスクリプション情報とに基づき、前記ＰＲＡ集合の任意のＰＲＡにおける前記ＵＥの位置変更イベントをサブスクライブするサブスクリプションエンティティを確定するよう構成され、前記ＰＲＡサブスクリプション情報は、前記ＰＲＡ集合の前記識別情報と、前記ＰＲＡ集合の任意のＰＲＡにおける前記ＵＥの前記位置変更イベントをサブスクライブする前記サブスクリプションエンティティの識別情報とを含み、
前記送信モジュールは、前記ＰＲＡの前記識別情報と、前記ＰＲＡにおける前記ＵＥの前記位置変更情報とを、前記サブスクリプションエンティティへ送信するよう構成される、
セッション管理機能エンティティ。
【請求項７】
前記セッション管理機能エンティティはさらに、記憶モジュールを備え、
前記受信モジュールはさらに、前記サブスクリプションエンティティにより送信されたＰＲＡサブスクリプション要求を受信するよう構成され、前記ＰＲＡサブスクリプション要求は、前記ＰＲＡ集合の前記識別情報を保持し、前記ＰＲＡ集合の前記識別情報に対応する前記ＰＲＡ集合の任意のＰＲＡにおける前記ＵＥの位置変更イベントをサブスクライブするよう要求するために用いられ、
前記確定モジュールはさらに、前記ＰＲＡサブスクリプション要求に基づき、前記ＰＲＡサブスクリプション情報を確定するよう構成され、
前記記憶モジュールは、前記ＰＲＡサブスクリプション情報を記憶するよう構成され、
前記送信モジュールは、ＰＲＡ位置変更通知要求を前記モビリティ管理エンティティへ送信するよう構成され、前記ＰＲＡ位置変更通知要求は、前記ＰＲＡ集合の前記識別情報を保持し、前記モビリティ管理エンティティに、前記ＵＥが前記ＰＲＡ集合の前記識別情報に対応する前記ＰＲＡ集合の任意のＰＲＡに対して進入するまたは退出するとき、ＰＲＡ位置変更報知を実行するよう命令するために用いられる、
請求項６に記載のセッション管理機能エンティティ。
【請求項８】
前記サブスクリプションエンティティは、ポリシーおよび課金ルール機能ＰＣＲＦエンティティ、オンライン課金システムＯＣＳエンティティ、またはポリシー機能エンティティを含む、請求項６または７に記載のセッション管理機能エンティティ。
【請求項９】
前記モビリティ管理エンティティは、モビリティ管理エンティティＭＭＥ、サービング汎用パケット無線サービスＧＰＲＳサポートノードＳＧＳＮ、またはモビリティ管理機能ＭＭＦエンティティを含む、請求項６から８のいずれか一項に記載のセッション管理機能エンティティ。
【請求項１０】
前記セッション管理機能エンティティは、パケットデータネットワークゲートウェイＰＧＷ、またはセッション管理機能ＳＭＦエンティティを含む、請求項６から９のいずれか一項に記載のセッション管理機能エンティティ。
【請求項１１】
プロセッサと、メモリと、バスと、通信インタフェースとを備えるセッション管理機能エンティティであって、
前記メモリは、コンピュータ実行可能命令を記憶するよう構成され、前記プロセッサは、前記バスを用いることにより、前記メモリと接続され、前記セッション管理機能エンティティが動作するとき、前記プロセッサは、前記メモリに記憶されている前記コンピュータ実行命令を実行し、これにより、前記セッション管理機能エンティティは、請求項１から５のいずれか一項に記載の位置変更報知方法を実行する、
セッション管理機能エンティティ。
【請求項１２】
位置変更システムであって、前記位置変更システムは、モビリティ管理エンティティと、請求項６から１１のいずれか一項に記載のセッション管理機能エンティティとを備える、
位置変更システム。
【発明の詳細な説明】
【技術分野】
【０００１】
本出願は、２０１６年１０月３１日に中国特許庁に出願された、「位置変更報知方法、デバイス、およびシステム」と題する中国特許出願第２０１６１０９３４２５８．８号に基づく優先権を主張し、当該出願はその全体が参照により本明細書に組み込まれる。
【０００２】
本発明は、通信技術分野に関し、特に、位置変更報知方法、デバイス、およびシステムに関する。
【背景技術】
【０００３】
通信サービスが多様化する中、事業者は、特定のエリアに対して特定の課金または制御ポリシーを有し得る。現在、当該ポリシーは、第３世代パートナーシッププロジェクト（ｎｏｎ−３ｒｄ  ｇｅｎｅｒａｔｉｏｎ  ｐａｒｔｎｅｒｓｈｉｐ  ｐｒｏｊｅｃｔ，３ＧＰＰ）規格においてプレゼンス報知エリア（ｐｒｅｓｅｎｃｅ  ｒｅｐｏｒｔｉｎｇ  ａｒｅａ，ＰＲＡ）特徴により実現されている。
【０００４】
具体的には、ポリシーおよび課金ルール機能（ｐｏｌｉｃｙ  ａｎｄ  Ｃｈａｒｇｉｎｇ  Ｒｕｌｅｓ  Ｆｕｎｃｔｉｏｎ，ＰＣＲＦ）または、オンライン課金システム（Ｏｎｌｉｎｅ  Ｃｈａｒｇｉｎｇ  Ｓｙｓｔｅｍ，ＯＣＳ）は、ＰＲＡにおけるユーザ機器（ｕｓｅｒ  ｅｑｕｉｐｍｅｎｔ，ＵＥ）の、ＵＥによるＰＲＡに対する進入または退出の状態などの位置変更状態を検知する必要があるとき、ＰＣＲＦまたはＯＣＳは、パケットデータネットワーク（ｐａｃｋｅｔ  ｄａｔａ  ｎｅｔｗｏｒｋ、ＰＤＮ）ゲートウェイ（ＰＤＮ  ｇａｔｅｗａｙ，ＰＧＷ）から、ＰＲＡにおけるＵＥの位置変更イベントをサブスクライブする。ＰＲＡにおけるＵＥの位置変更イベントをサブスクライブするとき、ＰＣＲＦまたはＯＣＳは、マルチＰＲＡシナリオに対して、全てのＰＲＡのＰＲＡ集合（ｓｅｔ）の識別情報（ｉｄｅｎｔｉｔｙ，ＩＤ）をＰＧＷへ送る。ＰＲＡ集合のＩＤを保持するサブスクリプション情報を受信したとき、ＰＧＷは続けて、ＰＲＡ集合のＩＤを、モビリティ管理エンティティ（ｍｏｂｉｌｉｔｙ  ｍａｎａｇｅｍｅｎｔ  ｅｎｔｉｔｙ，ＭＭＥ）またはサービング汎用パケット無線サービス（ｇｅｎｅｒａｌ  ｐａｃｋｅｔ  ｒａｄｉｏ  ｓｅｒｖｉｃｅ，ＧＰＲＳ）サポートノード（Ｓｅｒｖｉｎｇ  ＧＰＲＳ  ｓｕｐｐｏｒｔ  ｎｏｄｅ，ＳＧＳＮ）へ送り、ＭＭＥまたはＳＧＳＮに、ＰＲＡにおけるＵＥの位置変更状態をモニタリングして、ＰＲＡにおけるＵＥの位置が変更になったとき、ＰＲＡにおけるＵＥの位置変更イベントをＰＣＲＦまたはＯＣＳへ報知するよう命令する。ＰＣＲＦまたはＯＣＳは、ＰＲＡにおける位置変更イベントに基づき、新しいポリシーまたは課金調整を実行する。
【０００５】
しかしながら、従来技術において、ＭＭＥまたはＳＧＳＮがＰＲＡにおけるＵＥの位置変更イベントを報知するとき、ＰＲＡのＩＤのみが保持されており、ＰＧＷにおいて、ＰＲＡ集合のＩＤとＰＲＡのＩＤとの間の対応関係が設定されていない。したがって、ＭＭＥまたはＳＧＳＮは、ＰＲＡにおける位置変更イベントを、如何にＰＣＲＦまたはＯＣＳへ報知するかを決定できない。
【発明の概要】
【０００６】
本発明の実施形態は、位置変更報知方法、デバイス、およびシステムを提供し、少なくとも、マルチＰＲＡシナリオにおいて、ＰＲＡ集合のＩＤが、ＰＲＡにおけるＵＥの位置変更イベントをサブスクライブするために用いられるとき、モビリティ管理エンティティにより報知されたＰＲＡにおけるＵＥの位置変更イベントがＰＲＡのＩＤのみを保持するので、セッション管理機能エンティティがＰＲＡにおけるＵＥの位置変更イベントを如何にサブスクリプションエンティティに報知するかを決定できないという従来の問題を解決する。
【０００７】
前述の目的を達成するために、本発明の実施形態は、以下の技術的解決手段を提供する。
【０００８】
第１の態様によれば、位置変更報知方法が提供され、当該位置変更報知方法は、セッション管理機能エンティティが、モビリティ管理エンティティにより送信された、ＰＲＡにおけるＵＥの位置変更情報と、ＰＲＡの識別情報と、ＰＲＡの識別情報に対応するＰＲＡが属するＰＲＡ集合の識別情報とを受信する段階であって、ＰＲＡにおけるＵＥの位置変更情報は、ＵＥによるＰＲＡに対する進入または退出についての情報を含む、段階と、セッション管理機能エンティティが、ＰＲＡ集合の識別情報と、記憶されたＰＲＡサブスクリプション情報とに基づき、ＰＲＡ集合の任意のＰＲＡにおけるＵＥの位置変更イベントをサブスクライブするサブスクリプションエンティティを確定する段階であって、ＰＲＡサブスクリプション情報は、ＰＲＡ集合の識別情報と、ＰＲＡ集合の任意のＰＲＡにおけるＵＥの位置変更イベントをサブスクライブするサブスクリプションエンティティの識別情報とを含む、段階と、セッション管理機能エンティティが、ＰＲＡの識別情報と、ＰＲＡにおけるＵＥの位置変更情報とをサブスクリプションエンティティへと送信する段階とを備える。言い換えれば、本発明の本実施形態において、モビリティ管理エンティティは、ＰＲＡにおける位置変更情報と、ＰＲＡの識別情報と、ＰＲＡの識別情報に対応するＰＲＡが属するＰＲＡ集合の識別情報とを、セッション管理機能エンティティへ送信し、これにより、セッション管理機能エンティティは、ＰＲＡ集合の識別情報に基づき、ＰＲＡ集合の任意のＰＲＡにおけるＵＥの位置変更イベントをサブスクライブするサブスクリプションエンティティを確定することができ、さらに、ＰＲＡの識別情報と、ＰＲＡにおけるＵＥの位置変更情報とを、サブスクリプションエンティティへ送信することができる。これは、マルチＰＲＡシナリオにおいて、ＰＲＡ集合のＩＤが、ＰＲＡにおけるＵＥの位置変更イベントをサブスクライブするために用いられるとき、モビリティ管理エンティティにより報知されたＰＲＡにおけるＵＥの位置変更イベントがＰＲＡのＩＤのみを保持するので、セッション管理機能エンティティがＰＲＡにおけるＵＥの位置変更イベントを如何にサブスクリプションエンティティに報知するかを決定できないという従来の問題を解決することができる。
【０００９】
可能な設計において、方法はさらに、セッション管理機能エンティティが、サブスクリプションエンティティにより送信されたＰＲＡサブスクリプション要求を受信する段階であって、ＰＲＡサブスクリプション要求は、ＰＲＡ集合の識別情報を保持し、ＰＲＡ集合の識別情報に対応するＰＲＡ集合の任意のＰＲＡにおけるＵＥの位置変更イベントをサブスクライブするよう要求するために用いられる、段階と、セッション管理機能エンティティが、ＰＲＡサブスクリプション要求に基づき、ＰＲＡサブスクリプション情報を確定して当該ＰＲＡサブスクリプション情報を記憶する、段階と、セッション管理機能エンティティが、ＰＲＡ位置変更通知要求をモビリティ管理エンティティへ送信する段階であって、ＰＲＡ位置変更通知要求は、ＰＲＡ集合の識別情報を保持し、モビリティ管理エンティティに、ＵＥがＰＲＡ集合の識別情報に対応するＰＲＡ集合の任意のＰＲＡに対して進入するまたは退出するとき、ＰＲＡ位置変更報知を実行するよう命令するために用いられる、段階とを備える。言い換えれば、本発明の本実施形態において、セッション管理機能エンティティは、サブスクリプションエンティティにより送信された、受信されたＰＲＡサブスクリプション要求に基づき、サブスクリプションエンティティに対応するＰＲＡサブスクリプション情報を確定して当該ＰＲＡサブスクリプション情報を記憶してよく、これにより、その後、モビリティ管理エンティティにより送信された、ＰＲＡの識別情報と、ＰＲＡの識別情報に対応するＰＲＡが属するＰＲＡ集合の識別情報とを受信した後に、セッション管理機能エンティティは、サブスクリプション情報に基づき、ＰＲＡ集合の任意のＰＲＡにおけるＵＥの位置変更イベントをサブスクライブするサブスクリプションエンティティを確定することができる。
【００１０】
可能な設計において、サブスクリプションエンティティは、ＰＣＲＦエンティティ、またはＯＣＳエンティティを含む。
【００１１】
可能な設計において、モビリティ管理エンティティは、ＭＭＥ、ＳＧＳＮ、またはＭＭＦを含む。
【００１２】
可能な設計において、セッション管理機能エンティティは、ＰＧＷ、またはＳＭＦを含む。
【００１３】
第２の態様によれば、本発明の実施形態は、セッション管理機能エンティティを提供し、当該セッション管理機能エンティティは、前述の方法の実施形態におけるセッション管理機能エンティティの挙動を実現する機能を有する。機能は、ハードウェアにより実現されてよく、または、ハードウェアにより対応するソフトウェアを実行することによって、実現されてよい。ハードウェアまたはソフトウェアは、機能に対応する１つまたは複数のモジュールを含む。
【００１４】
第３の態様によれば、本発明の実施形態は、セッション管理機能エンティティを提供し、当該セッション管理機能エンティティは、プロセッサと、メモリと、バスと、通信インタフェースとを備え、メモリは、コンピュータ実行命令を記憶するよう構成され、プロセッサは、バスを用いることによってメモリと接続され、セッション管理機能エンティティが動作するとき、プロセッサは、メモリに記憶されているコンピュータ実行命令を実行し、これにより、セッション管理機能エンティティは、第１の態様の任意の設計に係る位置変更報知方法を実行する。
【００１５】
第４の態様によれば、本発明の実施形態は、コンピュータ記憶媒体を提供し、当該コンピュータ記憶媒体は、前述のセッション管理機能エンティティにより用いられるコンピュータソフトウェア命令を記憶するよう構成され、コンピュータソフトウェア命令は、セッション管理機能エンティティが前述の態様を実行するために設計されたプログラムを含む。
【００１６】
加えて、第２の態様から第４の態様の任意の設計方式によりもたらされた技術的効果について、第１の態様の異なる設計方式によりもたらされた技術的効果を参照されたい。詳細はここでは再び説明されない。
【００１７】
第５の態様によれば、本発明の実施形態は、位置変更システムを提供し、当該位置変更システムは、モビリティ管理エンティティと、前述の態様のいずれかに係るセッション管理機能エンティティとを備える。
【００１８】
本発明のこれらのまたは他の態様は、以下の実施形態の説明において、より簡潔、かつ理解しやすくなる。
【図面の簡単な説明】
【００１９】
本発明の実施形態における、または従来技術における技術的解決手段を、より明確に説明するために、以下では、実施形態または従来技術を説明するために必要となる添付の図面を簡潔に説明する。明らかに、以下の説明における添付の図面は単に、本発明のいくつかの実施形態を示しており、当業者は、創造的努力なく、これらの添付の図面から、他の図面をさらに導き出し得る。
【００２０】
【図１】本発明の実施形態に係る位置変更システム１００のネットワークアーキテクチャ図である。
【００２１】
【図２】本発明の実施形態に係るコンピュータデバイスの模式図である。
【００２２】
【図３】本発明の実施形態に係る位置変更方法の概略フローチャートである。
【００２３】
【図４】本発明の実施形態に係るセッション管理機能エンティティの概略構造図である。
【００２４】
【図５】本発明の実施形態に係る別のセッション管理機能エンティティの概略構造図である。
【発明を実施するための形態】
【００２５】
以下では、本発明の実施形態における添付の図面を参照して、本発明の実施形態における技術的解決手段を説明する。明らかに、説明される実施形態は本発明の実施形態の全てではなく、一部に過ぎない。
【００２６】
加えて、本発明の説明において、別段の定めがない限り、「複数」は、２つまたはそれより多いことを意味する。
【００２７】
図１は、本発明の実施形態に係る位置変更システム１００のネットワークアーキテクチャ図である。位置変更システム１００は、セッション管理機能エンティティ１０１と、モビリティ管理エンティティ１０２と、サブスクリプションエンティティ１０３とを含む。サブスクリプションエンティティ１０３は、モビリティ管理エンティティ１０２から、ＰＲＡにおけるＵＥの位置変更イベントをサブスクライブするよう構成される。セッション管理機能エンティティ１０１は、ＰＲＡモニタリングと、ＰＲＡ位置変更報知とを実行するようモビリティ管理エンティティ１０２に命令し、モビリティ管理エンティティ１０２により送信された、ＵＥがＰＲＡに対して進入するまたは退出することを示す位置変更情報を受信した後に、如何にサブスクリプションエンティティ１０３に報知するかを決定するよう構成される。モビリティ管理エンティティ１０２は、ＰＲＡモニタリングとＰＲＡ位置変更報知とを実行するよう構成される。
【００２８】
具体的には、位置変更システム１００は、従来の第２世代（英語表記：２ｒｄ−Ｇｅｎｅｒａｔｉｏｎ、略して２Ｇ）ネットワーク、第３世代（英語表記：３ｒｄ−Ｇｅｎｅｒａｔｉｏｎ、略して３Ｇ）ネットワーク、または第４世代（英語表記：４ｒｄ−Ｇｅｎｅｒａｔｉｏｎ、略して４Ｇ）ネットワークに適用されてよく、または、将来の第５世代（英語表記：５ｒｄ−Ｇｅｎｅｒａｔｉｏｎ、略して５Ｇ）ネットワーク、または別の将来のネットワークに適用されてよい。本発明の本実施形態において、このことは具体的に限定されない。
【００２９】
典型的な２Ｇネットワークは、グローバルシステムフォーモバイルコミュニケーションズ（ｇｌｏｂａｌ  ｓｙｓｔｅｍ  ｆｏｒ  ｍｏｂｉｌｅ  ｃｏｍｍｕｎｉｃａｔｉｏｎｓ／ｇｅｎｅｒａｌ  ｐａｃｋｅｔ  ｒａｄｉｏ  ｓｅｒｖｉｃｅ，ＧＳＭ（登録商標））ネットワーク、または汎用パケット無線サービス（ｇｅｎｅｒａｌ  ｐａｃｋｅｔ  ｒａｄｉｏ  ｓｅｒｖｉｃｅ、ＧＰＲＳ）ネットワークを含む。典型的な３Ｇネットワークは、ユニバーサル移動体通信システム（ｕｎｉｖｅｒｓａｌ  ｍｏｂｉｌｅ  ｔｅｌｅｃｏｍｍｕｎｉｃａｔｉｏｎｓ  ｓｙｓｔｅｍ，ＵＭＴＳ）ネットワークを含む。典型的な４Ｇネットワークは、ロングタームエボリューション（ｌｏｎｇ  ｔｅｒｍ  ｅｖｏｌｕｔｉｏｎ，ＬＴＥ）ネットワークを含む。
【００３０】
異なるネットワークにおいて、セッション管理機能エンティティ１０１、モビリティ管理エンティティ１０２、およびサブスクリプションエンティティ１０３に対応するネットワーク要素またはエンティティは、異なる名称を有し得ることが理解できる。一例は以下の通りである。
【００３１】
位置通信システム１００が２Ｇネットワークまたは３Ｇネットワークに適用される場合、セッション管理機能エンティティ１０１に対応するネットワーク要素またはエンティティは、ＰＧＷであってよく、モビリティ管理エンティティ１０２に対応するネットワーク要素またはエンティティは、ＳＧＳＮであってよく、サブスクリプションエンティティ１０３に対応するネットワーク要素またはエンティティは、ＰＣＲＦまたはＯＣＳであってよい。
【００３２】
位置通信システム１００が４Ｇネットワークに適用される場合、セッション管理機能エンティティ１０１に対応するネットワーク要素またはエンティティは、ＰＧＷであってよく、モビリティ管理エンティティ１０２に対応するネットワーク要素またはエンティティは、ＭＭＥであってよく、サブスクリプションエンティティ１０３に対応するネットワーク要素またはエンティティは、ＰＣＲＦまたはＯＣＳであってよい。
【００３３】
位置通信システム１００が将来の５Ｇネットワークに適用される場合、セッション管理機能エンティティ１０１に対応するネットワーク要素またはエンティティは、セッション管理機能（ｓｅｓｓｉｏｎ  ｍａｎａｇｅｍｅｎｔ  ｆｕｎｃｔｉｏｎ，ＳＭＦ）エンティティであってよく、モビリティ管理エンティティ１０２に対応するネットワーク要素またはエンティティは、モビリティ管理機能（ｍｏｂｉｌｉｔｙ  ｍａｎａｇｅｍｅｎｔ  ｆｕｎｃｔｉｏｎ，ＭＭＦ）エンティティであってよく、サブスクリプションエンティティ１０３に対応するネットワーク要素またはエンティティは、ポリシー機能（ｐｏｌｉｃｙ  ｆｕｎｃｔｉｏｎ）エンティティまたはＯＣＳであってよい。
【００３４】
しかしながら、名称は、エンティティを限定することを意図しない。将来の５Ｇネットワークおよび別の将来のネットワークにおいて、セッション管理機能エンティティ１０１、モビリティ管理エンティティ１０２、およびサブスクリプションエンティティ１０３に対応するネットワーク要素またはエンティティは、代替的に他の名称を有し得る。本発明の本実施形態において、このことは具体的に限定されない。
【００３５】
セッション管理機能エンティティ１０１に対応するネットワーク要素またはエンティティは、セッション管理機能に加えて別の機能を有してよく、モビリティ管理エンティティ１０２に対応するネットワーク要素またはエンティティは、モビリティ管理機能に加えて別の機能を有してよく、サブスクリプションエンティティ１０３に対応するネットワーク要素またはエンティティは、サブスクリプション機能に加えて別の機能を有してよいことが理解できる。本発明の本実施形態において、このことは具体的に限定されない。
【００３６】
セッション管理機能エンティティ１０１、モビリティ管理エンティティ１０２、およびサブスクリプションエンティティ１０３に対応するネットワーク要素またはエンティティは、１つのエンティティデバイスにより実現され得て、または複数のエンティティデバイスにより共同で実現され得ることが理解できる。本発明の本実施形態において、このことは具体的に限定されない。
【００３７】
例えば、図２に示されているように、図１のセッション管理機能エンティティ１０１は、図２のコンピュータデバイス（またはシステム）により実現され得る。
【００３８】
図２は、本発明の実施形態に係るコンピュータデバイスの模式図である。コンピュータデバイス２００は、少なくとも１つのプロセッサ２０１と、通信バス２０２と、メモリ２０３と、少なくとも１つの通信インタフェース２０４とを備える。
【００３９】
プロセッサ２０１は、汎用中央処理装置（ｃｅｎｔｒａｌ  ｐｒｏｃｅｓｓｉｎｇ  ｕｎｉｔ，ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ，ＡＳＩＣ）、または、本発明の解決手段におけるプログラムの実行を制御するための１つまたは複数の集積回路であってよい。
【００４０】
通信バス２０２は、前述のコンポーネント間で情報を転送するための経路を含んでよい。
【００４１】
通信インタフェース２０４は、トランシーバなどの任意の装置を用いることによって、別のデバイス、またはイーサネット（登録商標）、無線アクセスネットワーク（ｒａｄｉｏ  ａｃｃｅｓｓ  ｎｅｔｗｏｒｋ，ＲＡＮ）、または無線ローカルエリアネットワーク（ｗｉｒｅｌｅｓｓ  ｌｏｃａｌ  ａｒｅａ  ｎｅｔｗｏｒｋｓ，ＷＬＡＮ）などの通信ネットワークと通信するよう構成される。
【００４２】
メモリ２０３は、リードオンリメモリ（ｒｅａｄ−ｏｎｌｙ  ｍｅｍｏｒｙ，ＲＯＭ）、もしくは静的情報および命令を記憶できる、別の種類の静的記憶デバイス、または、ランダムアクセスメモリ（ｒａｎｄｏｍ  ａｃｃｅｓｓ  ｍｅｍｏｒｙ，ＲＡＭ）、もしくは情報および命令を記憶できる、別の種類の動的記憶デバイスであってよく、または、電気的消去可能プログラマブルリードオンリメモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ，ＥＥＰＲＯＭ）、コンパクトディスクリードオンリメモリ（ｃｏｍｐａｃｔ  ｄｉｓｃ  ｒｅａｄ−ｏｎｌｙ  ｍｅｍｏｒｙ，ＣＤ−ＲＯＭ）、もしくは別のコンパクトディスク記憶装置、（コンパクトディスク、レーザディスク、光ディスク、デジタルバーサタイルディスク、ブルーレイディスク、または同様のものを含む）光ディスク記憶装置、磁気ディスク記憶媒体、もしくは別の磁気記憶デバイス、または、命令またはデータ構造の形式の所望のプログラムコードを保持するまたは記憶するために用いられることができる、コンピュータによりアクセスできる任意の他の媒体であってよいが、それらに限定されるものではない。メモリは、独立して存在し得て、バスを用いることによってプロセッサと接続される。メモリは代替的に、プロセッサと統合されてよい。
【００４３】
メモリ２０３は、本発明の解決手段を実行するためのアプリケーションプログラムコードを記憶するよう構成され、プロセッサ２０１は、実行を制御する。プロセッサ２０１は、メモリ２０３に記憶されているアプリケーションプログラムコードを実行するよう構成され、位置変更報知を実現する。
【００４４】
具体的な実現において、実施形態では、プロセッサ２０１は、例えば、図２のＣＰＵ０およびＣＰＵ１などの１つまたは複数のＣＰＵを含んでよい。
【００４５】
具体的な実現において、実施形態では、コンピュータデバイス２００は、例えば、図２のプロセッサ２０１およびプロセッサ２０８などの複数のプロセッサを含んでよい。これらのプロセッサの各々は、シングルコア（シングルＣＰＵ）プロセッサであってよく、またはマルチコア（マルチＣＰＵ）プロセッサであってよい。ここでのプロセッサは、１つまたは複数のデバイス、回路、および／または、データ（例えば、コンピュータプログラム命令）を処理するための処理コアを指してよい。
【００４６】
具体的な実現において、実施形態では、コンピュータデバイス２００は、出力装置２０５と入力装置２０６とをさらに備えてよい。出力装置２０５は、プロセッサ２０１と通信し、複数の方式で情報を表示し得る。例えば、出力装置２０５は、液晶ディスプレイ（ｌｉｑｕｉｄ  ｃｒｙｓｔａｌ  ｄｉｓｐｌａｙ，ＬＣＤ）、発光ダイオード（ｌｉｇｈｔ  ｅｍｉｔｔｉｎｇ  ｄｉｏｄｅ，ＬＥＤ）ディスプレイデバイス、陰極線管（ｃａｔｈｏｄｅ  ｒａｙ  ｔｕｂｅ，ＣＲＴ）ディスプレイデバイス、またはプロジェクタ（ｐｒｏｊｅｃｔｏｒ）であってよい。入力装置２０６は、プロセッサ２０１と通信し、複数の方式でユーザ入力を受信してよい。例えば、入力装置２０６は、マウス、キーボード、タッチスクリーンデバイス、またはセンサデバイスであってよい。
【００４７】
コンピュータデバイス２００は、汎用コンピュータデバイス、または専用コンピュータデバイスであってよい。具体的な実現において、コンピュータデバイス２００は、デスクトップコンピュータ、ポータブルコンピュータ、ネットワークサーバ、パーソナルデジタルアシスタント（ｐｅｒｓｏｎａｌ  ｄｉｇｉｔａｌ  ａｓｓｉｓｔａｎｔ，ＰＤＡ）、携帯電話、タブレットコンピュータ、無線端末デバイス、通信デバイス、組み込み機器、または図２の構造と同様の構造を有するデバイスであってよい。コンピュータデバイス２００の種類は、本発明の本実施形態において限定されるものではない。
【００４８】
図３は、本発明の実施形態に係る位置変更報知方法の概略フローチャートである。方法は、図１に示されている位置通信システム１００が従来の４Ｇネットワークに適用される例を用いることによって説明され、ＰＣＲＦと、ＰＧＷと、サービングゲートウェイ（ｓｅｒｖｉｎｇ  ｇａｔｅｗａｙ，ＳＧＷ）と、ＭＭＥとの間のインタラクション、およびＯＣＳと、ＰＧＷと、ＳＧＷと、ＭＭＥとの間のインタラクションに関する。方法は、段階Ｓ３０１からＳ３０８を備え、段階Ｓ３０１ａからＳ３０４ａは、ＰＣＲＦがＰＧＷから位置変更イベントをサブスクライブし、ＰＲＡ位置変更通知要求を送るプロセスである。段階Ｓ３０１ｂからＳ３０４ｂは、ＯＣＳがＰＧＷから位置変更イベントをサブスクライブし、ＰＲＡ位置変更通知要求を送るプロセスである。段階Ｓ３０５からＳ３０８は、ＰＲＡ位置変更決定および報知プロセスである。
【００４９】
段階Ｓ３０１ａからＳ３０４ａは具体的には以下の通りである。
【００５０】
Ｓ３０１ａ．ＰＧＷとＰＣＲＦとの間でポリシー制御セッションを確立する。
【００５１】
ＰＧＷとＰＣＲＦとの間でポリシー制御セッションを確立するプロセスは、以下の通りであってよい。
【００５２】
ＭＭＥは、ＳＧＷを用いることによって、クリエイトセッション要求（ｃｒｅａｔｅ  ｓｅｓｓｉｏｎ  ｒｅｑｕｅｓｔ）をＰＧＷへ送信し、ＰＧＷとＰＣＲＦとの間でのポリシー制御セッションの確立をトリガする。セッションが確立された後に、ＰＧＷは、ＳＧＷを用いることによって、クリエイトセッション応答（ｃｒｅａｔｅ  ｓｅｓｓｉｏｎ  ｒｅｓｐｏｎｓｅ）をＭＭＥへ送信する。プロセスは、従来の手順に属し、したがって、本発明の本実施形態において、詳細はここでは説明されない。
【００５３】
Ｓ３０２ａ．ＰＣＲＦは、ＰＲＡサブスクリプション要求１をＰＧＷへ送信し、これにより、ＰＧＷは、ＰＲＡサブスクリプション要求１を受信し、ここで、ＰＲＡサブスクリプション要求１は、ＰＲＡ集合１の識別情報を保持し、ＰＲＡ集合１の任意のＰＲＡにおけるＵＥの位置変更イベントをサブスクライブするよう要求するために用いられる。
【００５４】
本発明の本実施形態において、ＰＲＡにおけるＵＥの位置変更イベントをサブスクライブすることは具体的には、ＵＥによるＰＲＡに対する進入または退出の位置変更イベントをサブスクライブすることであることに留意すべきである。この説明は、ここで提供され、以下の全ての実施形態に適用可能である。詳細は以下では再び説明されない。
【００５５】
ＰＣＲＦによりＰＧＷへ送信されたＰＲＡサブスクリプション要求はここで、ＰＲＡサブスクリプション要求１として記され、これにより、当該ＰＲＡサブスクリプション要求は、以下のＯＣＳによりＰＧＷへ送信されたＰＲＡサブスクリプション要求と区別されることに留意すべきである。この説明は、ここで提供され、以下の全ての実施形態に適用可能である。詳細は以下では再び説明されない。
【００５６】
ＰＣＲＦにおけるＰＲＡ集合はここで、ＰＲＡ集合１と記され、これにより、当該ＰＲＡ集合は、以下のＯＣＳにおけるＰＲＡ集合と区別されることに留意すべきである。この説明は、ここで提供され、以下の全ての実施形態に適用可能である。詳細は以下では再び説明されない。
【００５７】
Ｓ３０３ａ．ＰＧＷは、ＰＲＡサブスクリプション要求１に基づき、ＰＲＡサブスクリプション情報１を確定して、ＰＲＡサブスクリプション情報１を記憶し、ここで、ＰＲＡサブスクリプション情報１は、ＰＲＡ集合１の識別情報と、ＰＣＲＦの識別情報とを含む。
【００５８】
ＰＣＲＦは、ＰＲＡ集合１の任意のＰＲＡにおけるＵＥの位置変更イベントをサブスクライブするサブスクリプションエンティティである。
【００５９】
ＰＣＲＦに対応するサブスクリプション情報はここで、ＰＲＡサブスクリプション情報１として記され、これにより、当該サブスクリプション情報は、以下のＯＣＳに対応するサブスクリプション情報と区別されることに留意すべきである。この説明は、ここで提供され、以下の全ての実施形態に適用可能である。詳細は以下では再び説明されない。
【００６０】
Ｓ３０４ａ．ＰＧＷは、ＳＧＷを用いることによって、ＰＲＡ位置変更通知要求１をＭＭＥへ送信し、これにより、ＭＭＥは、ＰＲＡ位置変更通知要求１を受信し、ここで、ＰＲＡ位置変更通知要求１は、ＰＲＡ集合１の識別情報を保持し、ＭＭＥに、ＵＥがＰＲＡ集合１の識別情報に対応するＰＲＡ集合１の任意のＰＲＡに対して進入するまたは退出するとき、ＰＲＡ位置変更報知を実行するよう命令するために用いられる。
【００６１】
言い換えれば、ＰＲＡ位置変更通知要求１の機能は、ＭＭＥに、ＰＲＡ集合１の任意のＰＲＡに対するＵＥの位置が変更となったとき、ＰＲＡにおけるＵＥの位置変更情報を報知するよう命令することである。
【００６２】
ＰＣＲＦがＰＲＡサブスクリプション要求１をＰＧＷへ送信した後にＰＧＷによりＭＭＥへ送信されたＰＲＡ位置変更通知要求はここで、ＰＲＡ位置変更通知要求１として記され、これにより、当該ＰＲＡ位置変更通知要求は、以下のＯＣＳがＰＲＡサブスクリプション要求２をＰＧＷへ送信した後にＰＧＷによりＭＭＥへ送信されるＰＲＡ位置変更通知要求と区別されることに留意すべきである。この説明は、ここで提供され、以下の全ての実施形態に適用可能である。詳細は以下では再び説明されない。
【００６３】
ＰＧＷがＰＲＡ位置変更通知要求をＭＭＥへ送信する方式は、本発明の本実施形態において具体的に限定されない。例えば、位置変更通知要求は、更新ベアラ要求（ｕｐｄａｔｅ  ｂｅａｒｅｒ  ｒｅｑｕｅｓｔ）メッセージに追加されてＭＭＥへ送信されてよい。
【００６４】
図３において、段階Ｓ３０２ａからＳ３０４ａは、ポリシー制御セッションがＰＧＷとＰＣＲＦとの間で確立された後に実行される。任意選択に、段階Ｓ３０２ａからＳ３０４ａは、ＰＧＷとＰＣＲＦとの間でポリシー制御セッションを確立するプロセスにおいて代替的に行われてよい。具体的には、ＭＭＥは、ＳＧＷを用いることによって、クリエイトセッション要求（ｃｒｅａｔｅ  ｓｅｓｓｉｏｎ  ｒｅｑｕｅｓｔ）をＰＧＷへ送信し、ＰＧＷとＰＣＲＦとの間でポリシー制御セッションの確立をトリガする。ＰＧＷとＰＣＲＦとの間でポリシー制御セッションの確立中、ＰＣＲＦは、ＰＲＡサブスクリプション要求１をＰＧＷへ送信し、ＰＧＷは、ＰＲＡサブスクリプション要求１に基づき、ＰＲＡサブスクリプション情報１を確定してＰＲＡサブスクリプション情報１を記憶する。ポリシー制御セッションが確立された後に、ＰＧＷは、ＳＧＷを用いることによって、クリエイトセッション応答（ｃｒｅａｔｅ  ｓｅｓｓｉｏｎ  ｒｅｓｐｏｎｓｅ）をＭＭＥへ送信し、当該クリエイトセッション応答は、ＰＲＡ位置変更通知要求１を保持する。本発明の本実施形態において、この場合は具体的に限定されない。
【００６５】
同様に、ＯＣＳは代替的に、段階Ｓ３０１ｂからＳ３０４ｂにおいて説明されるように、段階Ｓ３０１ａからＳ３０４ａにおける方式で、ＰＧＷから位置変更イベントをサブスクライブして、ＰＲＡ位置変更通知要求をＭＭＥへ送ってよい。
【００６６】
Ｓ３０１ｂ．ＰＧＷとＯＣＳとの間でオンライン課金セッションを確立する。
【００６７】
ＰＧＷとＯＣＳとの間でオンライン課金セッションを確立するプロセスは、以下の通りであってよい。
【００６８】
ＭＭＥは、ＳＧＷを用いることによって、クリエイトセッション要求（ｃｒｅａｔｅ  ｓｅｓｓｉｏｎ  ｒｅｑｕｅｓｔ）をＰＧＷへ送信し、ＰＧＷとＯＣＳとの間でオンライン課金セッションの確立をトリガする。セッションが確立された後に、ＰＧＷは、クリエイトセッション応答（ｃｒｅａｔｅ  ｓｅｓｓｉｏｎ  ｒｅｓｐｏｎｓｅ）をＭＭＥへ送信する。プロセスは、従来の手順に属し、したがって、本発明の本実施形態において、詳細はここでは説明されない。
【００６９】
Ｓ３０２ｂ．ＯＣＳは、ＰＲＡサブスクリプション要求２をＰＧＷへ送信し、これにより、ＰＧＷは、ＰＲＡサブスクリプション要求２を受信し、ここで、ＰＲＡサブスクリプション要求２は、ＰＲＡ集合２の識別情報を保持し、ＰＲＡ集合２の任意のＰＲＡにおけるＵＥの位置変更イベントをサブスクライブするよう要求するために用いられる。
【００７０】
ＯＣＳによりＰＧＷへ送信されたＰＲＡサブスクリプション要求はここで、ＰＲＡサブスクリプション要求２として記され、これにより、当該ＰＲＡサブスクリプション要求は、ＰＣＲＦによりＰＧＷへ送信された前述のＰＲＡサブスクリプション要求と区別されることに留意すべきである。この説明はここで提供され、以下の全ての実施形態に適用可能である。詳細は以下では再び説明されない。
【００７１】
ＯＣＳにおけるＰＲＡ集合はここで、ＰＲＡ集合２として記され、これにより、当該ＰＲＡ集合は、ＰＣＲＦにおける前述のＰＲＡ集合と区別されることに留意すべきである。この説明はここで提供され、以下の全ての実施形態に適用可能である。詳細は以下では再び説明されない。
【００７２】
Ｓ３０３ｂ．ＰＧＷは、ＰＲＡサブスクリプション要求２に基づき、ＰＲＡサブスクリプション情報２を確定してＰＲＡサブスクリプション情報２を記憶し、ここで、ＰＲＡサブスクリプション情報２は、ＰＲＡ集合２の識別情報と、ＯＣＳの識別情報とを含む。
【００７３】
ＯＣＳは、ＰＲＡ集合２の任意のＰＲＡにおけるＵＥの位置変更イベントをサブスクライブするサブスクリプションエンティティである。
【００７４】
ＯＣＳに対応するサブスクリプション情報はここで、ＰＲＡサブスクリプション情報２として記され、これにより、サブスクリプション情報は、ＰＣＲＦに対応する前述のサブスクリプション情報と区別されることに留意すべきである。この説明はここで提供され、以下の全ての実施形態に適用可能である。詳細は以下では再び説明されない。
【００７５】
Ｓ３０４ｂ．ＰＧＷは、ＳＧＷを用いることによって、ＰＲＡ位置変更通知要求２をＭＭＥへ送信し、これにより、ＭＭＥは、ＰＲＡ位置変更通知要求２を受信し、ここで、ＰＲＡ位置変更通知要求２は、ＰＲＡ集合２の識別情報を保持し、ＭＭＥに、ＵＥがＰＲＡ集合２の識別情報に対応するＰＲＡ集合２の任意のＰＲＡに対して進入するまたは退出するとき、ＰＲＡ位置変更報知を実行するよう命令するために用いられる。
【００７６】
言い換えれば、ＰＲＡ位置変更通知要求２の機能は、ＭＭＥに、ＰＲＡ集合２の任意のＰＲＡに対するＵＥの位置が変更となったとき、ＰＲＡにおけるＵＥの位置変更情報を報知するよう命令することである。
【００７７】
ＯＣＳがＰＲＡサブスクリプション要求２をＰＧＷへ送信した後にＰＧＷによりＭＭＥへ送信されたＰＲＡ位置変更通知要求はここで、ＰＲＡ位置変更通知要求２として記され、これにより、当該ＰＲＡ位置変更通知要求は、ＰＣＲＦがＰＲＡサブスクリプション要求１をＰＧＷへ送信した後にＰＧＷによりＭＭＥへ送信された前述のＰＲＡ位置変更通知要求と区別されることに留意すべきである。この説明はここで提供され、以下の全ての実施形態に適用可能である。詳細は以下では再び説明されない。
【００７８】
ＰＧＷがＰＲＡ位置変更通知要求をＭＭＥへ送信する方式は、本発明の本実施形態において具体的に限定されない。例えば、位置変更通知要求は、更新ベアラ要求（ｕｐｄａｔｅ  ｂｅａｒｅｒ  ｒｅｑｕｅｓｔ）メッセージに追加されて、ＭＭＥへ送信されてよい。
【００７９】
図３において、段階Ｓ３０２ｂからＳ３０４ｂは、ＰＧＷとＰＣＲＦとの間でオンライン課金セッションが確立された後に実行される。任意選択に、段階Ｓ３０２ｂからＳ３０４ｂは、ＰＧＷとＰＣＲＦとの間でオンライン課金セッションを確立するプロセスにおいて代替的に行われてよい。具体的には、ＭＭＥは、ＳＧＷを用いることによって、クリエイトセッション要求（ｃｒｅａｔｅ  ｓｅｓｓｉｏｎ  ｒｅｑｕｅｓｔ）をＰＧＷへ送信し、ＰＧＷとＰＣＲＦとの間でオンライン課金セッションの確立をトリガする。ＰＧＷとＰＣＲＦとの間でオンライン課金セッションの確立中、ＰＣＲＦは、ＰＲＡサブスクリプション要求２をＰＧＷへ送信し、ＰＧＷは、ＰＲＡサブスクリプション要求２に基づき、ＰＲＡサブスクリプション情報２を確定してＰＲＡサブスクリプション情報２を記憶する。オンライン課金セッションが確立された後に、ＰＧＷは、ＳＧＷを用いることによって、クリエイトセッション応答（ｃｒｅａｔｅ  ｓｅｓｓｉｏｎ  ｒｅｓｐｏｎｓｅ）をＭＭＥへ送信し、クリエイトセッション応答は、ＰＲＡ位置変更通知要求２を保持する。本発明の本実施形態において、この場合は具体的に限定されない。
【００８０】
段階Ｓ３０１ａからＳ３０４ａと、段階Ｓ３０１ｂからＳ３０４ｂとの間で必須な実行順番が存在しないことに留意すべきである。段階Ｓ３０１ａからＳ３０４ａは、段階Ｓ３０１ｂからＳ３０４ｂが実行される前に実行されてよい。代替的に、段階Ｓ３０１ｂからＳ３０４ｂは、段階Ｓ３０１ａからＳ３０４ａが実行される前に実行されてよい。代替的に、段階Ｓ３０１ａからＳ３０４ａは、段階Ｓ３０１ｂからＳ３０４ｂと同時に実行されてよい。本発明の本実施形態において、このことは具体的に限定されない。段階Ｓ３０１ａからＳ３０４ａが段階Ｓ３０１ｂからＳ３０４ｂと同時に実行されるとき、段階Ｓ３０４ａにおけるＰＲＡ位置変更通知要求１と、段階Ｓ３０４ｂにおけるＰＲＡ位置変更通知要求２とは、同じ更新ベアラ要求（ｕｐｄａｔｅ  ｂｅａｒｅｒ  ｒｅｑｕｅｓｔ）メッセージに追加されてＭＭＥへ送信されてよい。本発明の本実施形態において、このことは具体的に限定されない。
【００８１】
本発明の本実施形態において、可能な限り、従来のインタフェースを再利用するため、元のＰＲＡ識別情報ネーミング方式が、ＰＲＡ集合の識別情報のために再利用されることに留意すべきである。言い換えれば、ＰＲＡ集合の識別情報のネーミング方式は、従来のＰＲＡ識別情報ネーミング方式と同じである。したがって、段階Ｓ３０３ａおよびＳ３０３ｂにおいて、ＰＧＷがＰＲＡ集合１の識別情報とＰＲＡ２集合２の識別情報とを取得した後に、ＰＧＷは、識別情報がＰＲＡ集合の識別情報であるか、またはＰＲＡの識別情報であるかを識別できず、したがって、サブスクライブされるのがＰＲＡ集合の任意のＰＲＡにおけるＵＥの位置変更イベントであるか、または特定のＰＲＡにおけるＵＥの位置変更イベントであるかを認識できない。ＰＣＲＦまたはＯＣＳに対して、ＰＣＲＦまたはＯＣＳによりＰＧＷへ送信されたＰＲＡサブスクリプション要求が、ＰＲＡ集合の識別情報を保持するので、言い換えれば、ＰＣＲＦまたはＯＣＳは、ＰＲＡ集合の任意のＰＲＡにおけるＵＥの位置変更イベントをサブスクライブするので、ＰＣＲＦまたはＯＣＳは、ＰＲＡ集合の任意のＰＲＡにおけるＵＥの位置変更イベントをサブスクライブするサブスクリプションエンティティとみなされてよい。例えば、段階Ｓ３０３ａにおいて、ＰＣＲＦは、ＰＲＡ集合１の任意のＰＲＡにおけるＵＥの位置変更イベントをサブスクライブするサブスクリプションエンティティであり、段階Ｓ３０３ｂにおいて、ＯＣＳは、ＰＲＡ集合２の任意のＰＲＡにおけるＵＥの位置変更イベントをサブスクライブするサブスクリプションエンティティである。前述の説明は、以下の全ての実施形態に適用可能である。この説明はここで提供され、詳細は以下では再び説明されない。
【００８２】
本発明の本実施形態は、ＰＣＲＦおよびＯＣＳの両方がＰＧＷから位置変更イベントをサブスクライブする例を用いることによって説明されており、当然ながら、ＰＣＲＦのみがＰＧＷから位置変更イベントをサブスクライブする、またはＯＣＳのみがＰＧＷから位置変更イベントをサブスクライブすることは可能であることに留意すべきである。本発明の本実施形態において、このことは具体的に限定されない。
【００８３】
ＰＣＲＦおよびＯＣＳの両方がＰＧＷから位置変更イベントをサブスクライブした後に、ＰＧＷに記憶されているＵＥのＰＲＡサブスクリプション情報は、表１に示されているものであり得る。
［表１］
【表１】
2019533342.tif 000003
【００８４】
ＰＧＷによりＳＧＷを用いることによって送信されたＰＲＡ位置変更通知要求をＭＭＥが受信した後に、方法はさらに、以下の段階Ｓ３０５からＳ３０８を備える。
【００８５】
Ｓ３０５．ＭＭＥは、ＰＲＡ位置変更報知を実行する必要があるかを確定する。
【００８６】
具体的には、ＵＥの位置が変更となったとき、ＭＭＥは、ＰＲＡにおけるＵＥの位置が変更となったかを検出する。位置が変更となった場合、ＭＭＥは、ＰＲＡ位置変更報知を実行する必要があると確定する。位置が変更してない場合、ＭＭＥは、ＰＲＡ位置変更報知を実行する必要がないと確定する。
【００８７】
Ｓ３０６．ＭＭＥが、ＰＲＡ位置変更報知を実行する必要があると確定した場合、ＭＭＥは、ＳＧＷを用いることによって、ＰＲＡにおける位置変更情報と、ＰＲＡの識別情報と、ＰＲＡの識別情報に対応するＰＲＡが属するＰＲＡ集合の識別情報とをＰＧＷへ送信し、これにより、ＰＧＷは、ＰＲＡにおける位置変更情報と、ＰＲＡの識別情報と、ＰＲＡの識別情報に対応するＰＲＡが属するＰＲＡ集合の識別情報とを受信し、ここで、ＰＲＡにおけるＵＥの位置変更情報は、ＵＥによるＰＲＡに対する進入または退出についての情報を含む。
【００８８】
具体的には、ＰＲＡ集合の識別情報とＰＲＡ集合の全てのＰＲＡの識別情報との間の対応関係は、ＭＭＥにおいて事前設定される。ＰＲＡにおけるＵＥの位置が変更となったと確定したとき、ＭＭＥは、対応関係に基づき、ＰＲＡが属するＰＲＡ集合の識別情報を確定して、さらに、ＰＲＡにおけるＵＥの位置変更情報と、ＰＲＡの識別情報と、ＰＲＡ集合の識別情報とをＰＧＷへ送信してよい。
【００８９】
例えば、ＰＲＡ集合１がＰＲＡ１と、ＰＲＡ２と、ＰＲＡ３とを含み、ＰＲＡ集合２がＰＲＡ４と、ＰＲＡ５と、ＰＲＡ６とを含む場合、表２に示されている対応関係が、ＭＭＥにおいて設定されてよい。
［表２］
【表２】
2019533342.tif 000004
【００９０】
ＰＲＡ２におけるＵＥの位置が変更となった場合、例えば、ＵＥがＰＲＡ２から退出する場合、ＭＭＥは、表２に示されている事前設定された対応関係に基づき、ＰＲＡ２が属するＰＲＡ集合の識別情報がＰＲＡ集合１の識別情報であると確定して、さらに、ＰＲＡ２におけるＵＥの位置変更情報と、ＰＲＡ２の識別情報と、ＰＲＡ集合１の識別情報とをＰＧＷへ送信してよい。
【００９１】
本発明の本実施形態において、ＰＣＲＦおよびＯＣＳが特定のＰＲＡ集合の任意のＰＲＡにおけるＵＥの位置変更イベントをサブスクライブするように、１つまたは複数のＰＲＡ集合の識別情報と、ＰＲＡ集合の全てのＰＲＡの識別情報との間の対応関係は、ＭＭＥにだけではなく、ＰＣＲＦおよびＯＣＳにも事前設定されることに留意すべきである。本発明の本実施形態において、このことは具体的に限定されない。
【００９２】
加えて、ＰＲＡ集合の識別情報と、ＰＲＡ集合における全てのＰＲＡの識別情報との間の対応関係は、ＰＧＷにおいて設定されていない。このことは、マルチＰＲＡシナリオにおいて、ＰＲＡ集合のＩＤがＰＲＡにおける位置変更イベントをサブスクライブするために用いられるとき、モビリティ管理エンティティにより報知されたＰＲＡの位置変更イベントがＰＲＡのＩＤのみを保持するので、セッション管理機能エンティティは、ＰＲＡにおける位置変更イベントを如何にサブスクリプションエンティティに報知するかを決定できないという従来の問題を引き起こす重要な要因でもある。
【００９３】
Ｓ３０７．ＰＧＷは、ＭＭＥにより送信されたＰＲＡ集合の識別情報と、記憶されたＰＲＡサブスクリプション情報とに基づき、ＰＲＡ集合の任意のＰＲＡにおけるＵＥの位置変更イベントをサブスクライブするサブスクリプションエンティティを確定する。
【００９４】
段階Ｓ３０３ａまたは段階Ｓ３０３ｂにおいて説明されているように、ＰＲＡサブスクリプション情報は、ＰＲＡ集合の識別情報と、ＰＲＡ集合の任意のＰＲＡにおけるＵＥの位置変更イベントをサブスクライブするサブスクリプションエンティティの識別情報とを含む。
【００９５】
段階Ｓ３０６の例において、ＰＲＡ２におけるＵＥの位置が変更となった場合、ＰＲＡ２におけるＵＥの位置変更情報と、ＰＲＡ２の識別情報と、ＰＲＡ集合１の識別情報とを受信した後に、ＰＧＷは、ＰＲＡ集合１の識別情報と、表２に示されている記憶されたサブスクリプション情報とに基づき、ＰＲＡ集合１の任意のＰＲＡにおけるＵＥの位置変更イベントをサブスクライブするサブスクリプションエンティティがＰＣＲＦであると確定してよい。
【００９６】
Ｓ３０８．ＰＧＷは、ＭＭＥにより送信された、ＰＲＡの識別情報と、ＰＲＡにおけるＵＥの位置変更情報とを、段階Ｓ３０７において確定されたサブスクリプションエンティティへ送信し、これにより、サブスクリプションエンティティは、ＰＲＡの識別情報と、ＰＲＡにおけるＵＥの位置変更情報とを受信する。
【００９７】
例えば、図３に示されているように、段階Ｓ３０７の例において、ＰＧＷは、ＰＲＡ２の識別情報と、ＰＲＡ２におけるＵＥの位置変更情報とをＰＣＲＦへ送信し、これにより、ＰＣＲＦは、ＰＲＡ２の識別情報と、ＰＲＡ２におけるＵＥの位置変更情報とを受信する。さらに、ＰＣＲＦは、新しいポリシー情報をＰＧＷへ送信し、ＰＧＷは、ＳＧＷを用いることによって、位置変更確認情報をＭＭＥへ送信してよい。本発明の本実施形態において、このことは詳細に説明されない。詳細については、従来の手順を参照されたい。
【００９８】
図３は単に、ＰＲＡ集合の任意のＰＲＡにおけるＵＥの位置変更イベントをサブスクライブするサブスクリプションエンティティがＰＣＲＦであると確定するという例を用いることによって例示されていることに留意すべきである。当然ながら、ＰＲＡ集合の任意のＰＲＡにおけるＵＥの位置変更イベントをサブスクライブする、確定されたサブスクリプションエンティティは代替的に、ＯＣＳであってよく、そして、ＰＲＡの識別情報と、ＰＲＡにおけるＵＥの位置変更情報とは、ＯＣＳへ送信される。本発明の本実施形態において、このことは具体的に限定されない。
【００９９】
単純化のために、段階Ｓ３０５からＳ３０８および関連する例は、ＭＭＥが１つのＰＲＡにおける位置変更イベントを報知するという例を用いることによって説明されることに留意すべきである。当然ながら、ＭＭＥは代替的に、複数のＰＲＡにおける位置変更イベントを報知してよい。例えば、前述の例において、ＵＥがＰＲＡ２から退出し、ＰＲＡ４へ進入した場合、ＭＭＥは、当該２つのＰＲＡにおける位置変更イベントを報知してよい。１つのＰＲＡにおける位置変更イベントの関連情報は、ＵＥがＰＲＡ２から退出することを示すＰＲＡにおける位置変更情報と、ＰＲＡ２の識別情報と、ＰＲＡ集合１の識別情報とを含む。別のＰＲＡにおける位置変更イベントの関連情報は、ＵＥがＰＲＡ４へ進入することを示すＰＲＡにおける位置変更情報と、ＰＲＡ４の識別情報と、ＰＲＡ集合２の識別情報とを含む。本発明の本実施形態において、位置変更イベントがＭＭＥにより報知されたＰＲＡの数量は、具体的に限定されない。ＭＭＥが複数のＰＲＡにおける位置変更イベントを報知するとき、任意のＰＲＡの位置変更イベントの処理手順について、段階Ｓ３０５からＳ３０８を参照されたい。本発明の本実施形態において、詳細はここで再び説明されない。
【０１００】
要するに、本発明の本実施形態において提供される位置変更報知方法に基づき、モビリティ管理エンティティは、ＰＲＡにおける位置変更情報と、ＰＲＡの識別情報と、ＰＲＡの識別情報に対応するＰＲＡが属するＰＲＡ集合の識別情報とを、セッション管理機能エンティティへ送信し、これにより、セッション管理機能エンティティは、ＰＲＡ集合の識別情報に基づき、ＰＲＡ集合の任意のＰＲＡにおけるＵＥの位置変更イベントをサブスクライブするサブスクリプションエンティティを確定でき、さらに、ＰＲＡの識別情報と、ＰＲＡにおけるＵＥの位置変更情報とをサブスクリプションエンティティへ送信できる。このことは、マルチＰＲＡシナリオにおいて、ＰＲＡ集合のＩＤがＰＲＡにおけるＵＥの位置変更イベントをサブスクライブするために用いられるとき、モビリティ管理エンティティにより報知されたＰＲＡにおけるＵＥの位置変更イベントがＰＲＡのＩＤのみを保持するので、セッション管理機能エンティティは、ＰＲＡにおけるＵＥの位置変更イベントを如何にサブスクリプションエンティティに報知するかを決定できないという従来の問題を解決できる。
【０１０１】
段階Ｓ３０１ａ、Ｓ３０３ａ、Ｓ３０４ａ、Ｓ３０１ｂ、Ｓ３０３ｂ、Ｓ３０４ｂ、Ｓ３０７、およびＳ３０８におけるＰＧＷの動作は、図２に示されているコンピュータデバイス２００におけるプロセッサ２０１により、メモリ２０３に記憶されているアプリケーションプログラムコードを呼び出すことによって実行されてよい。本発明の本実施形態において、このことは、限定されるものではない。
【０１０２】
図３に示されている実施形態は、ＰＧＷおよびＳＧＷが異なるデバイス上に配置されるという例を用いることによって説明されていることに留意すべきである。当然ながら、ＰＧＷおよびＳＧＷは代替的に、統合されてよく、言い換えれば、ＰＧＷおよびＳＧＷは、同じデバイス上に配置される。本発明の本実施形態において、この場合は具体的に限定されない。
【０１０３】
以上では主に、ネットワーク要素間のインタラクションの視点から、本発明の実施形態において提供される解決手段を説明している。前述の機能を実現するため、前述のセッション管理機能エンティティは、機能を実行するための対応するハードウェア構造および／またはソフトウェアモジュールを含むことが理解できる。当業者は、本明細書に開示されている実施形態に関連して説明されている例におけるユニットおよびアルゴリズム段階が、ハードウェアまたはハードウェアおよびコンピュータソフトウェアの組み合わせにより実現され得ることを容易に認識するべきである。機能がハードウェアにより実行されるか、またはコンピュータソフトウェアにより駆動されるハードウェアにより実行されるかは、技術的解決手段の特定の応用および設計上の制約に依存する。当業者は、特定の応用毎に説明されている機能を実現するために異なる方法を用いてよいが、当該実現は、本発明の範囲を超えるものとみなされるべきではない。
【０１０４】
本発明の実施形態において、セッション管理機能エンティティは、前述の方法の例に基づき、機能モジュールに区分されてよい。例えば、各機能モジュールは、それぞれの対応する機能に基づく区分によって得られてよく、または、２つまたはそれより多くの機能は、１つの処理モジュールに統合されてよい。統合されたモジュールは、ハードウェアの形式で実現されてよく、または、ソフトウェア機能モジュールの形式で実現されてよい。本発明の実施形態におけるモジュール区分は、例であり、単に論理的な機能区分であることに留意すべきである。実際の実現において、別の区分方式が存在し得る。
【０１０５】
例えば、各機能モジュールがそれぞれの対応する機能に基づく区分によって得られたとき、図４は、前述の実施形態におけるセッション管理機能エンティティの可能な概略構造図である。セッション管理機能エンティティ４００は、受信モジュール４０１と、確定モジュール４０２と、送信モジュール４０３とを含む。
【０１０６】
受信モジュール４０１は、モビリティ管理エンティティにより送信された、ＰＲＡにおけるＵＥの位置変更情報と、ＰＲＡの識別情報と、ＰＲＡの識別情報に対応するＰＲＡが属するＰＲＡ集合の識別情報とを受信するよう構成され、ここで、ＰＲＡにおけるＵＥの位置変更情報は、ＵＥによるＰＲＡに対する進入または退出についての情報を含む。
【０１０７】
確定モジュール４０２は、ＰＲＡ集合の識別情報と、記憶されたＰＲＡサブスクリプション情報とに基づき、ＰＲＡ集合の任意のＰＲＡにおけるＵＥの位置変更イベントをサブスクライブするサブスクリプションエンティティを確定するよう構成され、ここで、ＰＲＡサブスクリプション情報は、ＰＲＡ集合の識別情報と、ＰＲＡ集合の任意のＰＲＡにおけるＵＥの位置変更イベントをサブスクライブするサブスクリプションエンティティの識別情報とを含む。
【０１０８】
送信モジュール４０３は、ＰＲＡの識別情報と、ＰＲＡにおけるＵＥの位置変更情報とを、サブスクリプションエンティティへ送信するよう構成される。
【０１０９】
さらに、図４に示されているように、セッション管理機能エンティティはさらに、記憶モジュール４０４を含む。
【０１１０】
受信モジュール４０１はさらに、サブスクリプションエンティティにより送信されたＰＲＡサブスクリプション要求を受信するよう構成され、ここで、ＰＲＡサブスクリプション要求は、ＰＲＡ集合の識別情報を保持し、ＰＲＡ集合の識別情報に対応するＰＲＡ集合の任意のＰＲＡにおけるＵＥの位置変更イベントをサブスクライブするよう要求するために用いられる。
【０１１１】
確定モジュールはさらに、ＰＲＡサブスクリプション要求に基づき、ＰＲＡサブスクリプション情報を確定するよう構成される。
【０１１２】
記憶モジュール４０４は、ＰＲＡサブスクリプション情報を記憶するよう構成される。
【０１１３】
送信モジュール４０３は、ＰＲＡ位置変更通知要求を、モビリティ管理エンティティへ送信するよう構成され、ＰＲＡ位置変更通知要求は、ＰＲＡ集合の識別情報を保持し、モビリティ管理エンティティに、ＵＥがＰＲＡ集合の識別情報に対応するＰＲＡ集合の任意のＰＲＡに対して進入するまたは退出するとき、ＰＲＡ位置変更報知を実行すうよう命令するために用いられる。
【０１１４】
任意選択に、サブスクリプションエンティティは、ＰＣＲＦエンティティ、またはＯＣＳエンティティを含んでよい。
【０１１５】
任意選択に、モビリティ管理エンティティは、ＭＭＥ、ＳＧＳＮ、またはＭＭＦを含んでよい。
【０１１６】
任意選択に、セッション管理機能エンティティは、ＰＧＷ、またはＳＭＦを含んでよい。
【０１１７】
前述の方法の実施形態における段階の全ての関連内容は、対応する機能モジュールの機能説明において引用されてよい。詳細はここでは再び説明されない。
【０１１８】
各機能モジュールが統合によって得られたとき、図５は、前述の実施形態におけるセッション管理機能エンティティの可能な概略構造図である。セッション管理機能エンティティ５００は、処理モジュール５０１と、通信モジュール５０２と、記憶モジュール５０３とを含む。処理モジュール５０１は、図４の確定モジュール４０３により実行されることができる動作を実行するよう構成されてよい。通信モジュール５０２は、図４の受信モジュール４０１と送信モジュール４０３とにより実行されることができる動作を実行するよう構成されてよい。記憶モジュール５０３は、図４の記憶モジュール４０４により実行されることができる動作を実行するよう構成されてよい。詳細については、図４に示されている実施形態を参照されたい。本発明の本実施形態において、詳細はここで再び説明されない。
【０１１９】
前述の方法の実施形態における段階の全ての関連内容は、対応する機能モジュールの機能説明において引用されてよい。詳細はここでは再び説明されない。
【０１２０】
本実施形態において、セッション管理機能エンティティは、各対応する機能に基づく区分によって各機能モジュールを得ることによって現れ、または、セッション管理機能エンティティは、統合する方式で区分によって各機能モジュールを得ることによって現れる。ここでの「モジュール」は、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ，ＡＳＩＣ）、回路、１つまたは複数のソフトウェアまたはファームウェアプログラムを実行するプロセッサおよびメモリ、集積論理回路、および／または前述の機能を提供できる別のコンポーネントであってよい。簡単な実施形態において、当業者は、図２に示されている形式はセッション管理機能エンティティ４００またはセッション管理機能エンティティ５００のために用いられてよいことを想到し得る。例えば、図４の受信モジュール４０１、確定モジュール４０２、送信モジュール４０３、および記憶モジュール４０４は、図２のプロセッサ２０１およびメモリ２０３により実現されてよい。具体的には、受信モジュール４０１、確定モジュール４０２、送信モジュール４０３、および記憶モジュール４０４は、プロセッサ２０１により、メモリ２０３に記憶されているアプリケーションプログラムコードを呼び出することによって実現され得る。本発明の本実施形態において、このことは限定されるものではない。代替的に、例えば、図５における処理モジュール５０１、通信モジュール５０２、および記憶モジュール５０３は、図２のプロセッサ２０１およびメモリ２０３により実現され得る。具体的には、処理モジュール５０１、通信モジュール５０２、および記憶モジュール５０３は、プロセッサ２０１により、メモリ２０３に記憶されているアプリケーションプログラムコードを呼び出すことによって実現され得る。本発明の本実施形態において、このことは、限定されるものではない。
【０１２１】
本発明の実施形態はさらに、コンピュータ記憶媒体を提供する。コンピュータ記憶媒体は、前述のセッション管理機能エンティティにより用いられるコンピュータソフトウェア命令を記憶するよう構成される。コンピュータソフトウェア命令は、方法の実施形態を実行するために設計されたプログラムを含む。位置変更報知は、記憶されているプログラムを実行することによって実現されることができる。
【０１２２】
本発明は、実施形態に関連して説明されているが、保護を請求する本発明を実現するプロセスにおいて、当業者は、添付の図面、開示されている内容、および添付の特許請求の範囲を閲覧することにより開示されている実施形態の別の変形を理解して実現し得る。特許請求の範囲において、「備え」（ｃｏｍｐｒｉｓｉｎｇ）は、別のコンポーネントまたは別の段階を除外せず、「一」または「１つ」は、複数の場合を除外しない。単一のプロセッサまたは別のユニットは、特許請求の範囲において列挙されているいくつかの機能を実現し得る。いくつかの手段が、互いに異なる従属請求項において説明されているが、これは、これらの手段を組み合わせて良好な効果を生じることができないことを示すものではない。
【０１２３】
当業者は、本発明の実施形態は、方法、装置（デバイス）、またはコンピュータプログラム製品として提供され得ることを理解するべきである。したがって、本発明は、ハードウェアのみの実施形態、ソフトウェアのみの実施形態、または、ソフトウェアおよびハードウェアの組み合わせを有する実施形態の形式を用いてよい。さらに、本発明は、コンピュータ利用可能プログラムコードを含む、（磁気ディスクメモリ、ＣＤ−ＲＯＭ、光メモリ、および同様のものを含むが、それらに限定されない）１つまたは複数のコンピュータ利用可能記憶媒体上で実現されるコンピュータプログラム製品の形式を用いてよい。コンピュータプログラムは、適切な媒体に記憶／分散され、他のハードウェアと共にハードウェアの一部として提供されるか、またはその一部として用いられ、または、インターネット、または別の有線もしくは無線電気通信システムなどの別の形式で分散されてよい。
【０１２４】
本発明は、本発明の実施形態に係る方法、装置（デバイス）、およびコンピュータプログラム製品のフローチャートおよび／またはブロック図を参照して説明されている。コンピュータプログラム命令は、フローチャートおよび／またはブロック図における各プロセスおよび／または各ブロック、およびフローチャートおよび／またはブロック図におけるプロセスおよび／またはブロックの組み合わせを実現するために用いられ得ることが理解されるべきである。これらのコンピュータプログラム命令は、機械を生成するべく、汎用コンピュータ、専用コンピュータ、組み込みプロセッサ、または別のプログラマブルデータ処理デバイスのプロセッサのために提供されてよく、これにより、コンピュータまたは別のプログラマブルデータ処理デバイスのプロセッサにより実行される命令は、フローチャートにおける１つまたは複数のプロセスおよび／またはブロック図における１つまたは複数のブロックにおいて、指定された機能を実現するための装置を生成する。
【０１２５】
これらのコンピュータプログラム命令は代替的に、コンピュータまたは別のプログラマブルデータ処理デバイスに、具体的な方式で作動するよう命令することができるコンピュータ可読メモリにおいて記憶されてよく、これにより、コンピュータ可読メモリに記憶されている命令は、命令装置を含むアーティファクトを生成する。命令装置は、フローチャートにおける１つまたは複数のプロセスおよび／またはブロック図における１つまたは複数のブロックにおいて指定された機能を実現する。
【０１２６】
これらのコンピュータプログラム命令は代替的に、コンピュータまたは別のプログラマブルデータ処理デバイス上にロードされてよく、これにより、一連の動作および段階は、コンピュータまたは別のプログラマブルデバイス上で実行され、それにより、コンピュータにより実現される処理を生成する。したがって、コンピュータまたは別のプログラマブルデバイス上で実行される命令は、フローチャートにおける１つまたは複数のプロセスおよび／またはブロック図における１つまたは複数のブロックにおいて指定された機能を実現するための段階を提供する。
【０１２７】
本発明は、具体的な特徴およびそれらの実施形態に関連して説明されているが、明らかに、様々な変更および組み合わせは、本発明の思想及び範囲から逸脱することなく、行われ得る。それに対応して、明細書および添付の図面は単に、添付の特許請求の範囲により定義される本発明の例示的な説明であり、本発明の範囲内の全ての変更、変形、組み合わせ、または同等物のいずれかまたは全てを包含するとみなされる。明らかに、当業者は、本発明の思想及び範囲から逸脱することなく、本発明に対して様々な変更及び変形を行うことができる。本発明は、これらの変更及び変形が本発明の特許請求の範囲により定義される保護範囲およびそれらの同等技術範囲内に含まれる限り、本発明は、これらの変更及び変形を包含することを意図する。
【図１】
2019533342.tif 000005
【図２】
2019533342.tif 000006
【図３】
2019533342.tif 000007
【図４】
2019533342.tif 000008
【図５】
2019533342.tif 000009
【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
位置変更報知方法であって、前記位置変更報知方法は、
セッション管理機能エンティティが、モビリティ管理エンティティにより送信された、プレゼンス報知エリア（ＰＲＡ）におけるユーザ機器（ＵＥ）の位置変更情報と、前記ＰＲＡの識別情報と、前記ＰＲＡの前記識別情報に対応する前記ＰＲＡが属するＰＲＡ集合の識別情報とを受信する段階であって、前記ＰＲＡにおける前記ＵＥの前記位置変更情報は、前記ＵＥによる前記ＰＲＡに対する進入または退出についての情報を含む、段階と、
前記セッション管理機能エンティティが、前記ＰＲＡ集合の前記識別情報と、記憶されたＰＲＡサブスクリプション情報とに基づき、前記ＰＲＡ集合の任意のＰＲＡにおける前記ＵＥの位置変更イベントをサブスクライブするサブスクリプションエンティティを確定する段階であって、前記ＰＲＡサブスクリプション情報は、前記ＰＲＡ集合の前記識別情報と、前記ＰＲＡ集合の任意のＰＲＡにおける前記ＵＥの前記位置変更イベントをサブスクライブする前記サブスクリプションエンティティの識別情報とを含む、段階と、
前記セッション管理機能エンティティが、前記ＰＲＡの前記識別情報と、前記ＰＲＡにおける前記ＵＥの前記位置変更情報とを、前記サブスクリプションエンティティへ送信する段階と
を備える、
位置変更報知方法。
【請求項２】
前記位置変更報知方法は、
前記セッション管理機能エンティティが、前記サブスクリプションエンティティにより送信されたＰＲＡサブスクリプション要求を受信する段階であって、前記ＰＲＡサブスクリプション要求は、前記ＰＲＡ集合の前記識別情報を保持し、前記ＰＲＡ集合の前記識別情報に対応する前記ＰＲＡ集合の任意のＰＲＡにおける前記ＵＥの位置変更イベントをサブスクライブするよう要求するために用いられる、段階と、
前記セッション管理機能エンティティが、前記ＰＲＡサブスクリプション要求に基づき、前記ＰＲＡサブスクリプション情報を確定して前記ＰＲＡサブスクリプション情報を記憶する段階と、
前記セッション管理機能エンティティが、ＰＲＡ位置変更通知要求を、前記モビリティ管理エンティティへ送信する段階であって、前記ＰＲＡ位置変更通知要求は、前記ＰＲＡ集合の前記識別情報を保持し、前記モビリティ管理エンティティに、前記ＵＥが前記ＰＲＡ集合の前記識別情報に対応する前記ＰＲＡ集合の任意のＰＲＡに対して進入するまたは退出するとき、ＰＲＡ位置変更報知を実行するよう命令するために用いられる、段階と
をさらに備える、請求項１に記載の位置変更報知方法。
【請求項３】
前記サブスクリプションエンティティは、ポリシーおよび課金ルール機能ＰＣＲＦエンティティ、オンライン課金システム（ＯＣＳ）エンティティ、またはポリシー機能エンティティを含む、請求項１または２に記載の位置変更報知方法。
【請求項４】
前記モビリティ管理エンティティは、モビリティ管理エンティティ（ＭＭＥ）、サービング汎用パケット無線サービス（ＧＰＲＳ）サポートノード（ＳＧＳＮ）、またはモビリティ管理機能（ＭＭＦ）エンティティを含む、請求項１から３のいずれか一項に記載の位置変更報知方法。
【請求項５】
前記セッション管理機能エンティティは、パケットデータネットワークゲートウェイＰＧＷ、またはセッション管理機能ＳＭＦエンティティを含む、請求項１から４のいずれか一項に記載の位置変更報知方法。
【請求項６】
セッション管理機能エンティティであって、前記セッション管理機能エンティティは、受信モジュールと、確定モジュールと、送信モジュールとを備え、
前記受信モジュールは、モビリティ管理エンティティにより送信された、プレゼンス報知エリア（ＰＲＡ）におけるユーザ機器（ＵＥ）の位置変更情報と、前記ＰＲＡの識別情報と、前記ＰＲＡの前記識別情報に対応する前記ＰＲＡが属するＰＲＡ集合の識別情報とを受信するよう構成され、前記ＰＲＡにおける前記ＵＥの前記位置変更情報は、前記ＵＥによる前記ＰＲＡに対する進入または退出についての情報を含み、
前記確定モジュールは、前記ＰＲＡ集合の前記識別情報と、記憶されたＰＲＡサブスクリプション情報とに基づき、前記ＰＲＡ集合の任意のＰＲＡにおける前記ＵＥの位置変更イベントをサブスクライブするサブスクリプションエンティティを確定するよう構成され、前記ＰＲＡサブスクリプション情報は、前記ＰＲＡ集合の前記識別情報と、前記ＰＲＡ集合の任意のＰＲＡにおける前記ＵＥの前記位置変更イベントをサブスクライブする前記サブスクリプションエンティティの識別情報とを含み、
前記送信モジュールは、前記ＰＲＡの前記識別情報と、前記ＰＲＡにおける前記ＵＥの前記位置変更情報とを、前記サブスクリプションエンティティへ送信するよう構成される、
セッション管理機能エンティティ。
【請求項７】
前記セッション管理機能エンティティはさらに、記憶モジュールを備え、
前記受信モジュールはさらに、前記サブスクリプションエンティティにより送信されたＰＲＡサブスクリプション要求を受信するよう構成され、前記ＰＲＡサブスクリプション要求は、前記ＰＲＡ集合の前記識別情報を保持し、前記ＰＲＡ集合の前記識別情報に対応する前記ＰＲＡ集合の任意のＰＲＡにおける前記ＵＥの位置変更イベントをサブスクライブするよう要求するために用いられ、
前記確定モジュールはさらに、前記ＰＲＡサブスクリプション要求に基づき、前記ＰＲＡサブスクリプション情報を確定するよう構成され、
前記記憶モジュールは、前記ＰＲＡサブスクリプション情報を記憶するよう構成され、
前記送信モジュールは、ＰＲＡ位置変更通知要求を前記モビリティ管理エンティティへ送信するよう構成され、前記ＰＲＡ位置変更通知要求は、前記ＰＲＡ集合の前記識別情報を保持し、前記モビリティ管理エンティティに、前記ＵＥが前記ＰＲＡ集合の前記識別情報に対応する前記ＰＲＡ集合の任意のＰＲＡに対して進入するまたは退出するとき、ＰＲＡ位置変更報知を実行するよう命令するために用いられる、
請求項６に記載のセッション管理機能エンティティ。
【請求項８】
前記サブスクリプションエンティティは、ポリシーおよび課金ルール機能（ＰＣＲＦ）エンティティ、オンライン課金システム（ＯＣＳ）エンティティ、またはポリシー機能エンティティを含む、請求項６または７に記載のセッション管理機能エンティティ。
【請求項９】
前記モビリティ管理エンティティは、モビリティ管理エンティティ（ＭＭＥ）、サービング汎用パケット無線サービス（ＧＰＲＳ）サポートノード（ＳＧＳＮ）、またはモビリティ管理機能（ＭＭＦ）エンティティを含む、請求項６から８のいずれか一項に記載のセッション管理機能エンティティ。
【請求項１０】
前記セッション管理機能エンティティは、パケットデータネットワークゲートウェイ（ＰＧＷ）、またはセッション管理機能（ＳＭＦ）エンティティを含む、請求項６から９のいずれか一項に記載のセッション管理機能エンティティ。
【請求項１１】
位置変更報知システムであって、前記位置変更報知システムは、モビリティ管理エンティティと、請求項６から１０のいずれか一項に記載のセッション管理機能エンティティとを備える、
位置変更システム。
【請求項１２】
請求項１から５のいずれか一項に記載の位置変更報知方法を実行するためのコンピュータプログラムが記憶され、それによって符号化された、非一時的コンピュータ可読記憶媒体。
【請求項１３】
コンピュータに、請求項１から５のいずれか一項に記載の位置変更報知方法を実行させるためのプログラム。
【手続補正２】
【補正対象書類名】明細書
【補正対象項目名】０００３
【補正方法】変更
【補正の内容】
【０００３】
通信サービスが多様化する中、事業者は、特定のエリアに対して特定の課金または制御ポリシーを有し得る。現在、当該ポリシーは、第３世代パートナーシッププロジェクト（３ｒｄ  ｇｅｎｅｒａｔｉｏｎ  ｐａｒｔｎｅｒｓｈｉｐ  ｐｒｏｊｅｃｔ，３ＧＰＰ）規格においてプレゼンス報知エリア（ｐｒｅｓｅｎｃｅ  ｒｅｐｏｒｔｉｎｇ  ａｒｅａ，ＰＲＡ）特徴により実現されている。
【手続補正３】
【補正対象書類名】明細書
【補正対象項目名】００２８
【補正方法】変更
【補正の内容】
【００２８】
具体的には、位置変更システム１００は、従来の第２世代（英語表記：２ｎｄ−Ｇｅｎｅｒａｔｉｏｎ、略して２Ｇ）ネットワーク、第３世代（英語表記：３ｒｄ−Ｇｅｎｅｒａｔｉｏｎ、略して３Ｇ）ネットワーク、または第４世代（英語表記：４ｔｈ−Ｇｅｎｅｒａｔｉｏｎ、略して４Ｇ）ネットワークに適用されてよく、または、将来の第５世代（英語表記：５ｔｈ−Ｇｅｎｅｒａｔｉｏｎ、略して５Ｇ）ネットワーク、または別の将来のネットワークに適用されてよい。本発明の本実施形態において、このことは具体的に限定されない。
【手続補正４】
【補正対象書類名】明細書
【補正対象項目名】００２９
【補正方法】変更
【補正の内容】
【００２９】
典型的な２Ｇネットワークは、グローバルシステムフォーモバイルコミュニケーションズ（ｇｌｏｂａｌ  ｓｙｓｔｅｍ  ｆｏｒ  ｍｏｂｉｌｅ  ｃｏｍｍｕｎｉｃａｔｉｏｎｓ，ＧＳＭ（登録商標））ネットワーク、または汎用パケット無線サービス（ｇｅｎｅｒａｌ  ｐａｃｋｅｔ  ｒａｄｉｏ  ｓｅｒｖｉｃｅ、ＧＰＲＳ）ネットワークを含む。典型的な３Ｇネットワークは、ユニバーサル移動体通信システム（ｕｎｉｖｅｒｓａｌ  ｍｏｂｉｌｅ  ｔｅｌｅｃｏｍｍｕｎｉｃａｔｉｏｎｓ  ｓｙｓｔｅｍ，ＵＭＴＳ）ネットワークを含む。典型的な４Ｇネットワークは、ロングタームエボリューション（ｌｏｎｇ  ｔｅｒｍ  ｅｖｏｌｕｔｉｏｎ，ＬＴＥ）ネットワークを含む。
【手続補正５】
【補正対象書類名】明細書
【補正対象項目名】００７９
【補正方法】変更
【補正の内容】
【００７９】
図３において、段階Ｓ３０２ｂからＳ３０４ｂは、ＰＧＷとＯＣＳとの間でオンライン課金セッションが確立された後に実行される。任意選択に、段階Ｓ３０２ｂからＳ３０４ｂは、ＰＧＷとＰＣＲＦとの間でオンライン課金セッションを確立するプロセスにおいて代替的に行われてよい。具体的には、ＭＭＥは、ＳＧＷを用いることによって、クリエイトセッション要求（ｃｒｅａｔｅ  ｓｅｓｓｉｏｎ  ｒｅｑｕｅｓｔ）をＰＧＷへ送信し、ＰＧＷとＰＣＲＦとの間でオンライン課金セッションの確立をトリガする。ＰＧＷとＰＣＲＦとの間でオンライン課金セッションの確立中、ＰＣＲＦは、ＰＲＡサブスクリプション要求２をＰＧＷへ送信し、ＰＧＷは、ＰＲＡサブスクリプション要求２に基づき、ＰＲＡサブスクリプション情報２を確定してＰＲＡサブスクリプション情報２を記憶する。オンライン課金セッションが確立された後に、ＰＧＷは、ＳＧＷを用いることによって、クリエイトセッション応答（ｃｒｅａｔｅ  ｓｅｓｓｉｏｎ  ｒｅｓｐｏｎｓｅ）をＭＭＥへ送信し、クリエイトセッション応答は、ＰＲＡ位置変更通知要求２を保持する。本発明の本実施形態において、この場合は具体的に限定されない。
【手続補正６】
【補正対象書類名】明細書
【補正対象項目名】００８１
【補正方法】変更
【補正の内容】
【００８１】
本発明の本実施形態において、可能な限り、従来のインタフェースを再利用するため、元のＰＲＡ識別情報ネーミング方式が、ＰＲＡ集合の識別情報のために再利用されることに留意すべきである。言い換えれば、ＰＲＡ集合の識別情報のネーミング方式は、従来のＰＲＡ識別情報ネーミング方式と同じである。したがって、段階Ｓ３０３ａおよびＳ３０３ｂにおいて、ＰＧＷがＰＲＡ集合１の識別情報とＰＲＡ集合２の識別情報とを取得した後に、ＰＧＷは、識別情報がＰＲＡ集合の識別情報であるか、またはＰＲＡの識別情報であるかを識別できず、したがって、サブスクライブされるのがＰＲＡ集合の任意のＰＲＡにおけるＵＥの位置変更イベントであるか、または特定のＰＲＡにおけるＵＥの位置変更イベントであるかを認識できない。ＰＣＲＦまたはＯＣＳに対して、ＰＣＲＦまたはＯＣＳによりＰＧＷへ送信されたＰＲＡサブスクリプション要求が、ＰＲＡ集合の識別情報を保持するので、言い換えれば、ＰＣＲＦまたはＯＣＳは、ＰＲＡ集合の任意のＰＲＡにおけるＵＥの位置変更イベントをサブスクライブするので、ＰＣＲＦまたはＯＣＳは、ＰＲＡ集合の任意のＰＲＡにおけるＵＥの位置変更イベントをサブスクライブするサブスクリプションエンティティとみなされてよい。例えば、段階Ｓ３０３ａにおいて、ＰＣＲＦは、ＰＲＡ集合１の任意のＰＲＡにおけるＵＥの位置変更イベントをサブスクライブするサブスクリプションエンティティであり、段階Ｓ３０３ｂにおいて、ＯＣＳは、ＰＲＡ集合２の任意のＰＲＡにおけるＵＥの位置変更イベントをサブスクライブするサブスクリプションエンティティである。前述の説明は、以下の全ての実施形態に適用可能である。この説明はここで提供され、詳細は以下では再び説明されない。
【手続補正７】
【補正対象書類名】明細書
【補正対象項目名】００９５
【補正方法】変更
【補正の内容】
【００９５】
段階Ｓ３０６の例において、ＰＲＡ２におけるＵＥの位置が変更となった場合、ＰＲＡ２におけるＵＥの位置変更情報と、ＰＲＡ２の識別情報と、ＰＲＡ集合１の識別情報とを受信した後に、ＰＧＷは、ＰＲＡ集合１の識別情報と、表１に示されている記憶されたサブスクリプション情報とに基づき、ＰＲＡ集合１の任意のＰＲＡにおけるＵＥの位置変更イベントをサブスクライブするサブスクリプションエンティティがＰＣＲＦであると確定してよい。
【手続補正８】
【補正対象書類名】明細書
【補正対象項目名】０１１８
【補正方法】変更
【補正の内容】
【０１１８】
各機能モジュールが統合によって得られたとき、図５は、前述の実施形態におけるセッション管理機能エンティティの可能な概略構造図である。セッション管理機能エンティティ５００は、処理モジュール５０１と、通信モジュール５０２と、記憶モジュール５０３とを含む。処理モジュール５０１は、図４の確定モジュール４０２により実行されることができる動作を実行するよう構成されてよい。通信モジュール５０２は、図４の受信モジュール４０１と送信モジュール４０３とにより実行されることができる動作を実行するよう構成されてよい。記憶モジュール５０３は、図４の記憶モジュール４０４により実行されることができる動作を実行するよう構成されてよい。詳細については、図４に示されている実施形態を参照されたい。本発明の本実施形態において、詳細はここで再び説明されない。
【手続補正９】
【補正対象書類名】図面
【補正対象項目名】図４
【補正方法】変更
【補正の内容】
【図４】
2019533342.tif 000010
【国際調査報告】
2019533342.tif 000011
2019533342.tif 000012
2019533342.tif 000013
2019533342.tif 000014